(57)【要約】      （修正有）【課題】  階層伝送されてくる放送番組を受信状態の変化に従って切り替える際の画質や音質の悪化を低減する受信装置を提供する。【解決手段】受信状態検出データと位置データとが対応付けられた履歴データを記憶する記憶部５を備える。履歴情報作成部４によって、現在位置データＰＳと受信状態を示す検出信号ＤＴとを対応付けた新規の履歴データＤＨを作成して記憶部５に記憶させる。制御部６によって、測位部７ａで検出される現在位置データＰＳを基準とする移動方向における所定移動予測領域ＡＲ内の位置に相当する位置データを有する履歴データを記憶部５から検索し、位置データで示される位置を移動予測位置に設定すると共に、当該位置データに対応付けられている受信状態検出データに基づいて移動予測位置における受信状態が良好でないと判定すると、バックエンド部３に対して、劣化耐性に最も優れた放送番組の映像音声信号を出力信号として出力させる。【選択図】  図２
2007089083.tif 000002
【特許請求の範囲】
【請求項１】
互いに劣化耐性の異なる階層の放送番組を有して階層伝送されてくる放送を受信する受信装置であって、
前記放送を受信及び検波して前記各階層の放送番組毎の信号を復調及び復号することにより、各放送番組の映像音声信号を生成する受信手段と、
受信状態を示す受信状態検出情報と位置情報とが対応付けられた履歴情報を記憶する記憶手段と、
所定の測位手段で検出される現在位置情報と同じ位置を示す位置情報を有する前記履歴情報が前記記憶手段に記憶されているか否か判定し、記憶されていないと判定すると、前記現在位置情報と受信手段で検出される受信状態を示す検出信号とを対応付けた新規の履歴情報を作成して前記記憶手段に記憶させる履歴情報作成手段と、
前記測位手段で検出される現在位置情報を基準とする移動方向における所定移動予測領域内の位置に相当する移動情報を有する履歴情報が前記記憶手段に記憶されているか否か判定し、記憶されていると判定すると、当該記憶されている履歴情報に含まれている位置情報で示される位置を移動予測位置に設定すると共に、当該位置情報に対応付けられている受信状態情報に基づいて前記移動予測位置における受信状態の良否を判定し、当該受信状態が良好でないと判定すると、前記受信手段に対して、劣化耐性に最も優れた前記放送番組の映像音声信号を出力させる制御手段と、
を備えることを特徴とする受信装置。
【請求項２】
前記履歴情報作成手段は、前記所定の測位手段で検出される現在位置情報と同じ位置を示す位置情報を有する前記履歴情報が前記記憶手段に記憶されているか否か判定した結果、記憶されていると判定すると、当該記憶されている履歴情報に含まれている受信状態検出情報と前記受信手段で検出される受信状態を示す検出信号とを統計演算した演算結果に基づいて、前記記憶されている履歴情報に含まれている受信状態検出情報を更新して、前記記憶手段に記憶させることを特徴とする請求項１に記載の受信装置。
【請求項３】
前記制御手段は、前記位置情報に対応付けられている受信状態情報に基づいて前記移動予測位置における受信状態の良否を判定した結果、受信状態が良好でないと判定すると、前記受信手段に対して、前記劣化耐性に最も優れた前記放送番組の映像音声信号以外の他の放送番組の映像音声信号を出力させることを特徴とする特徴とする請求項１又は２に記載の受信装置。
【請求項４】
受信状態を示す受信状態検出情報と位置情報とが対応付けられた履歴情報を記憶する記憶手段を有し、互いに劣化耐性の異なる階層の放送番組を有して階層伝送されてくる放送を受信する受信装置の受信方法であって、
前記放送を受信及び検波して前記各階層の放送番組毎の信号を復調及び復号することにより、各放送番組の映像音声信号を生成する受信工程と、
所定の測位手段で検出される現在位置情報と同じ位置を示す位置情報を有する前記履歴情報が前記記憶手段に記憶されているか否か判定し、記憶されていないと判定すると、前記現在位置情報と受信工程で検出した受信状態を示す検出信号とを対応付けた新規の履歴情報を作成して前記記憶手段に記憶させる履歴情報作成工程と、
前記測位手段で検出される現在位置情報を基準とする移動方向における所定移動予測領域内の位置に相当する移動情報を有する履歴情報が前記記憶手段に記憶されているか否か判定し、記憶されていると判定すると、当該記憶されている履歴情報に含まれている位置情報で示される位置を移動予測位置に設定すると共に、当該位置情報に対応付けられている受信状態情報に基づいて前記移動予測位置における受信状態の良否を判定し、当該受信状態が良好でないと判定すると、前記受信工程において劣化耐性に最も優れた前記放送番組の映像音声信号を出力させる制御工程と、
を備えることを特徴とする受信方法。
【請求項５】
前記履歴情報作成工程は、前記所定の測位手段で検出される現在位置情報と同じ位置を示す位置情報を有する前記履歴情報が前記記憶手段に記憶されているか否か判定した結果、記憶されていると判定すると、当該記憶されている履歴情報に含まれている受信状態検出情報と前記受信工程で検出した受信状態を示す検出信号とを統計演算した演算結果に基づいて、前記記憶されている履歴情報に含まれている受信状態検出情報を更新して、前記記憶手段に記憶させることを特徴とする請求項４に記載の受信方法。
【請求項６】
前記制御工程は、前記位置情報に対応付けられている受信状態情報に基づいて前記移動予測位置における受信状態の良否を判定した結果、受信状態が良好でないと判定すると、前記受信手段に対して、前記劣化耐性に最も優れた前記放送番組の映像音声信号以外の他の放送番組の映像音声信号を出力させることを特徴とする特徴とする請求項４又は５に記載の受信放送。
【発明の詳細な説明】
【技術分野】
【０００１】
本発明は、例えば地上ディジタル放送等を受信する受信装置に関する。
【背景技術】
【０００２】
近年、放送メディアのマルチメディア化及びディジタル化が進められ、新たな放送メデアとして、例えば地上デジタル放送が開始されている。
【０００３】
地上デジタル放送では、高画質及び高音質の映像及び音声を提供すると共に、マルチメディア情報の提供、多チャンネル化、周波数の有効利用等を図るため、伝送路符号化方式としてＯＦＤＭ（Orthogonal Frequency Division Multiplexing：直交周波数分割多重）方式が採用され、更に、固定受信向けだけでなく移動受信向けにも適した放送を行うために、１つの伝送帯域（１物理チャンネル）で、劣化耐性の異なる複数の伝送を行うことを可能にする階層伝送方式が採用されている。
【０００４】
すなわち、図１に模式的に示すように、１つの伝送帯域（６ＭＨｚ）のうち、５．６ＭＨｚの周波数帯域を１３個のＯＦＤＭセグメントに分割し、ＯＦＤＭセグメント毎にキャリア変調方式や誤り訂正方式等の伝送パラメータを異ならせて、複数階層（我が国では、最大３階層）の階層伝送を行うことが可能となっている。そして、１３個のＯＦＤＭセグメントのうち、中央の１つのＯＦＤＭセグメントが劣化耐性に優れた伝送を行うための移動受信向けの階層（Ａ階層）に割り当てられると共に、残りのＯＦＤＭセグメントが標準テレビジョン放送やハイビジョン放送を伝送するためのＢ階層又はＣ階層に割り当てられている。
【０００５】
このように、ＯＦＤＭ方式が採用された地上デジタル放送によると、放送局側では、１つの伝送帯域で複数セグメントを組み合わせて多チャンネル放送を階層伝送することができ、一方、受信装置を所有する視聴者側では、例えば自動車で移動中に高画質及び高音質が得られるハイビジョン放送等のＢ階層又はＣ階層で伝送されてくる放送番組を視聴中に、受信状態が良好でなくなった場合、Ａ階層で伝送されてくる劣化耐性に優れた放送番組に切り替えることで、継続して視聴することが可能となる等の優れた利便性が得られる。
【０００６】
ところで、受信状態が変化するのに応じて、視聴者自らが放送番組を切替え操作するのでは煩雑であることから、従来、その切替え調整を自動的に行う受信装置が提案されている（特許文献１参照）。
【０００７】
この従来の受信装置では、同特許文献１の図１に示されているように、ＯＦＤＭ復調／伝送路復号部１３内で処理される受信信号のＳ／Ｎ比を制御部１８が判断し、Ｓ／Ｎ比が良好なときには、エラー耐性（劣化耐性）が低いものの高画質及び高音質が得られる固定受信向けのコンテンツ（Ｂ階層の放送番組）に切り替え、Ｓ／Ｎ比が良好でないときには、画質の低い簡易画像等とはなるもののエラー耐性が高い移動受信向けのコンテンツ（Ａ階層の放送番組）に切り替えるようになっている。
【０００８】
【特許文献１】特開２００５−２２３５４９号公報
【発明の開示】
【発明が解決しようとする課題】
【０００９】
上記従来の受信装置では、移動中に、受信信号のＳ／Ｎ比の良否を判断し、良好なときには固定受信向けの階層の放送番組、良好でないときには移動受信向けの階層の放送番組に自動的に切り替えることとしているため、視聴者等に対して利便性等を提供することが可能である。
【００１０】
しかしながら、受信信号のＳ／Ｎ比が良好な値から良好でない値へと変化したことを判断してから、視聴中の固定受信向け放送番組から移動受信向け放送番組へと切り替えているため、固定受信向け放送番組の再生映像に例えばブロックノズ等が混入して見苦しい状態となってから、移動受信向け放送番組へと切り替わることとなり、画質や音質を悪化させてしまうという問題があった。
【００１１】
本発明は、このような従来の問題点に鑑みてなされたものであり、階層伝送されてくる放送番組を受信状態の変化に従って切り替える際の画質や音質の悪化を低減する受信装置を提供することを目的とする。
【課題を解決するための手段】
【００１２】
請求項１に記載の発明は、互いに劣化耐性の異なる階層の放送番組を有して階層伝送されてくる放送を受信する受信装置であって、前記放送を受信及び検波して前記各階層の放送番組毎の信号を復調及び復号することにより、各放送番組の映像音声信号を生成する受信手段と、受信状態を示す受信状態検出情報と位置情報とが対応付けられた履歴情報を記憶する記憶手段と、所定の測位手段で検出される現在位置情報と同じ位置を示す位置情報を有する前記履歴情報が前記記憶手段に記憶されているか否か判定し、記憶されていないと判定すると、前記現在位置情報と受信手段で検出される受信状態を示す検出信号とを対応付けた新規の履歴情報を作成して前記記憶手段に記憶させる履歴情報作成手段と、前記測位手段で検出される現在位置情報を基準とする移動方向における所定移動予測領域内の位置に相当する移動情報を有する履歴情報が前記記憶手段に記憶されているか否か判定し、記憶されていると判定すると、当該記憶されている履歴情報に含まれている位置情報で示される位置を移動予測位置に設定すると共に、当該位置情報に対応付けられている受信状態情報に基づいて前記移動予測位置における受信状態の良否を判定し、当該受信状態が良好でないと判定すると、前記受信手段に対して、劣化耐性に最も優れた前記放送番組の映像音声信号を出力させる制御手段と、を備えることを特徴とする。
【００１３】
請求項２に記載の発明は請求項１に記載の受信装置において、前記履歴情報作成手段は、前記所定の測位手段で検出される現在位置情報と同じ位置を示す位置情報を有する前記履歴情報が前記記憶手段に記憶されているか否か判定した結果、記憶されていると判定すると、当該記憶されている履歴情報に含まれている受信状態検出情報と前記受信手段で検出される受信状態を示す検出信号とを統計演算した演算結果に基づいて、前記記憶されている履歴情報に含まれている受信状態検出情報を更新して、前記記憶手段に記憶させることを特徴とする。
【００１４】
請求項３に記載の発明は、請求項１又は２に記載の受信装置において、前記制御手段は、前記位置情報に対応付けられている受信状態情報に基づいて前記移動予測位置における受信状態の良否を判定した結果、受信状態が良好でないと判定すると、前記受信手段に対して、前記劣化耐性に最も優れた前記放送番組の映像音声信号以外の他の放送番組の映像音声信号を出力させることを特徴とする特徴とする。
【００１５】
請求項４に記載の発明は、受信状態を示す受信状態検出情報と位置情報とが対応付けられた履歴情報を記憶する記憶手段を有し、互いに劣化耐性の異なる階層の放送番組を有して階層伝送されてくる放送を受信する受信装置の受信方法であって、前記放送を受信及び検波して前記各階層の放送番組毎の信号を復調及び復号することにより、各放送番組の映像音声信号を生成する受信工程と、所定の測位手段で検出される現在位置情報と同じ位置を示す位置情報を有する前記履歴情報が前記記憶手段に記憶されているか否か判定し、記憶されていないと判定すると、前記現在位置情報と受信工程で検出した受信状態を示す検出信号とを対応付けた新規の履歴情報を作成して前記記憶手段に記憶させる履歴情報作成工程と、前記測位手段で検出される現在位置情報を基準とする移動方向における所定移動予測領域内の位置に相当する移動情報を有する履歴情報が前記記憶手段に記憶されているか否か判定し、記憶されていると判定すると、当該記憶されている履歴情報に含まれている位置情報で示される位置を移動予測位置に設定すると共に、当該位置情報に対応付けられている受信状態情報に基づいて前記移動予測位置における受信状態の良否を判定し、当該受信状態が良好でないと判定すると、前記受信工程において劣化耐性に最も優れた前記放送番組の映像音声信号を出力させる制御工程と、を備えることを特徴とする。
【発明を実施するための最良の形態】
【００１６】
本発明の好適な実施形態について、図２を参照して説明する。図２（ａ）は、本実施形態の受信装置の構成を表したブロック図である。
【００１７】
同図において、本実施形態の受信装置１は、到来電波を受信する受信アンテナＡＮＴが接続されるフロントエンド部２とバックエンド部３とを有する受信手段と、履歴情報作成部４、記憶部５及び制御部６を備えて形成されている。
【００１８】
更に、この受信装置１は、現在位置や目的地への移動経路案内を行なうナビゲーション装置７と接続され、ナビゲーション装置７に設けられているＧＰＳ（全地球測位システム）装置やジャイロ等の自律航法装置によって現在位置を検出する測位部７ａから出力される現在位置情報（以下「現在位置データ」と称する）ＰＳを入力する。
【００１９】
フロントエンド部２は、視聴者の選局操作によって指示される放送チャンネル（物理チャンネル）に同調し、受信アンテナＡＮＴからのＲＦ受信信号に対し検波及び復調等の処理を施すことにより、復調信号ＴＳを再生する。また、フロントエンド部２は、固定受信向けと移動受信向けの放送番組が階層伝送されている放送を受信すると、固定受信向けと移動受信向けの放送番組の復調信号ＴＳを再生する。
【００２０】
バックエンド部３は、ビデオデコーダとオーディオデーコーダを備え、復調信号ＴＳをデコード（復号）することにより、放送局側で符号化される前の元の映像信号と音声信号に戻して、出力信号Ｄoutとしてモニターやスピーカ側へ出力する。
【００２１】
ここで、フロントエンド部２から、階層伝送されてきた固定受信向け放送番組と移動受信向け放送番組の復調信号ＴＳが供給されると、制御部６からの切替制御信号ＳＷの指示に従って、固定受信向け放送番組の映像信号と音声信号、または、移動受信向け放送番組の映像信号と音声信号を、出力信号Ｄoutとして出力する。
【００２２】
履歴情報作成部４は、ナビゲーション装置７から出力される現在位置データＰＳを入力すると共に、フロントエンド部２内で検出される中間周波信号（ＩＦ信号）のＳ／Ｎ比や、復調信号ＴＳのビットエラーレート（Bit Error Ratio：ＢＥＲ）を示す検出信号ＤＴを入力する。そして、現在位置データＰＳを、通過したことのある位置データＸＰＳとし、検出信号ＤＴを、受信状態を示す受信状態検出データＸＤＴとして、その位置データＸＰＳと受信状態検出データＸＤＴとを対応付けた履歴データＤＨを作成して、記憶部５に記憶させる。これにより、図２（ｂ）に模式的に示すように、ルックアップテーブル形式のデータベースが記憶部５内に作成される。
【００２３】
ただし、履歴情報作成部４は、現在位置データＰＳと同じ位置を示す位置データ（通過したことのある位置データ）ＸＰＳを有する履歴データＤＨが記憶部５に既に記憶されているか否か調べ、未だ記憶されていない場合に、上述したように現在位置データＰＳを、通過したことのある位置データＸＰＳとし、検出信号ＤＴを受信状態検出データＸＤＴとして、その位置データＸＰＳと受信状態検出データＸＤＴを対応付けた履歴データＤＨを新たに作成して、記憶部５に追加記憶させる。
【００２４】
例えば、受信装置１の実際の現在位置を示す現在位置データＰＳに相当する位置データが、図２（ｂ）に示されている履歴データＤＨ(1)〜ＤＨ(i)のいずれにも含まれていない場合、履歴情報作成部４は、受信装置１の実際の現在位置を示す現在位置データＰＳを、通過したことのある位置データＸＰＳ(i+1)とすると共に、検出信号ＤＴを受信状態検出データＸＤＴ(i+1)として、その位置データＸＰＳ(i+1)と受信状態検出データＸＤＴ(i+1)とを対応付けた新規の履歴データＤＨ(i+1)を作成して、記憶部５に新たに追加記憶させる。
【００２５】
一方、受信装置１の実際の現在位置を示す現在位置データＰＳと同じ位置を示す位置データＸＰＳを有する履歴データＤＨが記憶部５に既に記憶されていた場合には、その既に記憶されていた履歴データＤＨに含まれている受信状態検出データ（すなわち、通過したことのある位置での受信状態検出データ）ＸＤＴと、検出信号ＤＴとを加算平均演算等の統計演算処理することによって、過去の受信状態の情報を含んだ新たな受信状態検出データＸＤＴrenewを作成する。そして、上述の既に記憶されていた履歴データＤＨに含まれている位置データＸＰＳは変更することなく、受信状態検出データＸＤＴのみを新たな受信状態検出データＸＤＴrenewで置換して、記憶部５に更新記憶させる。
【００２６】
例えば、図２（ｂ）中の履歴データＤＨ(1)に含まれている位置データＸＰＳ(1)が、受信装置１の実際の現在位置を示す現在位置データＰＳと同じであった場合、履歴情報作成部４は、現在位置データＰＳと履歴データＤＨ(1)中の位置データＸＰＳ(1)とが同じ位置を示している判断して、その履歴データＤＨ(1)中の受信状態検出データＸＤＴ(1)と検出信号ＤＴとを統計演算することで、過去の受信状態の情報を含んだ新たな受信状態検出データＸＤＴrenewを作成し、受信状態検出データＸＤＴ(1)のみを新たな受信状態検出データＸＤＴrenewで置換することにより、履歴データＤＨ(1)を更新させて記憶部５に記憶させる。
【００２７】
記憶部５は、上述したように、歴情報作成部４で新たに作成、又は、更新された履歴データＤＨを記憶すると共に、制御部６からの指示に従って、既に記憶されている履歴データＤＨを読み出して制御部６に供給する。
【００２８】
制御部６は、ナビゲーション装置７からの現在位置データＰＳを入力し、最新の現在位置データＰＳに基づいて受信装置１の実際の現在位置を判断すると共に、最新の現在位置データＰＳを含む過去の現在位置データＰＳとの変化傾向に基づいて、受信装置１の移動方向Ｆを推定演算する。更に、図２（ｃ）に模式的に示すように、受信装置１の現在位置を基準とし、移動方向Ｆに対して所定角度θの範囲内で且つ所定の距離Ｒまでの範囲内を移動予測領域ＡＲとし、その移動予測領域ＡＲ内の何れかの位置であって受信装置１の実際の現在位置から最も近い位置（以下「移動予測位置」と称する）に相当する位置データＸＰＳを有する履歴データＤＨを記憶部５から検索して読み出す。
【００２９】
例えば、図２（ｂ）に示す履歴データＤＨ(2)に含まれている位置データＸＰＳ(2)が移動予測領域ＡＲ内の「移動予測位置」を示していれば、制御部６は、履歴データＤＨ(2)を記憶部５から検索して読み出す。
【００３０】
そして、制御部６が上述の検索を行って「移動予測位置」を示す位置データＸＰＳを有する履歴データＤＨを読み出すと、その履歴データＤＨ内の位置データＸＰＳに対応付けられている受信状態検出データＸＤＴを所定の判断基準と照らして良好な受信状態を示しているものか否か判定し、良好な受信状態を示しているものと判定すると、切替制御信号ＳＷによってバックエンド部３を制御することにより、固定受信向け放送番組の映像信号と音声信号を出力信号Ｄoutとして出力させる。
【００３１】
すなわち、バックエンド部３が固定受信向け放送番組の映像信号と音声信号を出力信号Ｄoutとして出力している場合には、制御部６は受信状態検出データＸＤＴが良好な受信状態を示しているものとの判定結果に基づいて、バックエンド部３に対して固定受信向け放送番組の映像信号と音声信号を出力信号Ｄoutとしてそのまま継続して出力させる。
【００３２】
それとは逆に、バックエンド部３が移動受信向け放送番組の映像信号と音声信号を出力信号Ｄoutとして出力している場合には、制御部６は受信状態検出データＸＤＴが良好な受信状態を示しているものとの判定結果に基づいて、バックエンド部３に対して切替え動作を行わせ、固定受信向け放送番組の映像信号と音声信号を出力信号Ｄoutとして出力させる。
【００３３】
更にまた、制御部６が上述の検索を行った結果、検索領域ＡＲ内の「移動予測位置」を示す位置データＸＰＳを有する履歴データＤＨが既に記憶部５内に記憶されていたが、その履歴データＤＨ内の位置データＸＰＳに対応付けられている受信状態検出データＸＤＴが良好な受信状態を示しているものではない判定すると、切替制御信号ＳＷによってバックエンド部３を制御することにより、移動受信向け放送番組の映像信号と音声信号を出力信号Ｄoutとして出力させる。
【００３４】
すなわち、バックエンド部３が固定受信向け放送番組の映像信号と音声信号を出力信号Ｄoutとして出力している場合に、制御部６が検索した履歴データＤＨに含まれている受信状態検出データＸＤＴが良好な受信状態を示しているものではないと判定すると、バックエンド部３に対して切替え動作を行わせ、移動受信向け放送番組の映像信号と音声信号を出力信号Ｄoutとして出力させる。
【００３５】
それとは逆に、バックエンド部３が移動受信向け放送番組の映像信号と音声信号を出力信号Ｄoutとして出力している場合に、制御部６が検索した履歴データＤＨに含まれている受信状態検出データが良好な受信状態を示しているものではないと判定すると、バックエンド部３に対して切替え動作を行わせることなく、移動定受信向け放送番組の映像信号と音声信号を出力信号Ｄoutとして継続して出力させる。
【００３６】
また、制御部６は、上述の記憶部５を検索した結果、「移動予測位置」に相当する位置データＸＰＳを有する履歴データＤＨが記憶されていなかった場合には、バックエンド部３に対して切替制御部ＳＷによる切替え制御を行わず、現状のデコード処理を継続させると共に、出力信号Ｄoutも切替えさせることなくそのまま継続して出力させる。
【００３７】
以上に説明したように、本実施形態の受信装置１によれば、履歴情報作成部４が、現在位置データＰＳと検出信号ＤＴに基づいて受信装置１の実際の現在位置を示す位置データＸＰＳとその現在位置における受信状態検出データＸＤＴとを対応付けた履歴データＤＨを作成して記憶部５に記憶させていき、制御部６が、受信装置１の実際の現在位置を基準とする移動予測領域ＡＲ内の「移動予測位置」を記憶部５に既に記憶されている履歴データＤＨ内の位置データＸＰＳに基づいて判定し、更に判定した「移動予測位置」に相当する位置データＸＰＳに対応付けられている受信状態検出データＸＤＴに基づいて「移動予測位置」における受信状態の良否を判定し、その受信状態の判定結果に基づいて、バックエンド部３でデコード処理され出力される出力信号Ｄoutを固定受信向けの映像信号と音声信号とするか、または、移動受信向けの映像信号と音声信号とするか切り替えさせるので、受信装置１が「移動予測位置」へ移動する手前の現在位置で予め、より良好な画質や音質が得られる固定受信向け又は移動受信向けの映像信号と音声信号を、出力信号Ｄoutとして出力させることができる。
【００３８】
特に、バックエンド部３が固定受信向けの映像信号と音声信号（高品位の映像と音声信号）を出力信号Ｄoutとして出力している際に、制御部６が、受信装置１のこれから移動すると予測される「移動予測位置」における受信状態が良好でないと判定すると、「移動予測位置」に移動する前の現在位置に位置するときに前もって、バックエンド部３に対して、受信状態が良好でなくとも劣化耐性に優れている移動固定受信向けの映像信号と音声信号を出力信号Ｄoutとして切替えて出力させるので、再生映像に例えばブロックノズ等が混入して見苦しい状態となってから劣化耐性に優れている移動固定受信向けの映像信号と音声信号に切り替えると言った遅れた対応をすることなく、再生映像の画質や音質の悪化を未然に防止することができる。
【００３９】
また、履歴情報作成部４が、初めて来た位置を示す位置データＸＰＳと受信状態検出データＸＤＴを対応付けて新規の履歴データＤＨを作成して記憶部５に追加記憶させていくので、履歴データＤＨの情報量を次第に増やしていくことができ、制御部６が受信装置１の「移動予測位置」における受信状態を判定する際の判定精度を次第に向上させることができる。
【００４０】
また、履歴情報作成部４が、通過したことのある位置に来た場合に、その通過したことのある位置に相当する位置データＸＰＳに対応付けられている受信状態検出データＸＤＴと検出信号ＤＴとを統計処理することで、過去の履歴情報を含んだ受信状態検出データＸＤＴに更新して記憶部５に記憶させるので、受信状態検出データＸＤＴの精度をより向上させることができ、ひいては、制御部６が受信装置１の「移動予測位置」における受信状態を判定する際の判定精度を次第に向上させることができる。
【００４１】
なお、本実施形態の受信装置１は、自動車等に搭載されるナビゲーション装置７内の測位部７ａから現在位置データＰＳの供給を受ける構成となっているが、測位部７ａに相当する測位部を受信装置１に内蔵する構成にして、その内蔵した測位部から出力される現在位置データＰＳを履歴情報作成部４と制御部６に供給するようにしても良い。
【００４２】
また、本実施形態の受信装置１は、特に、階層伝送が行われる地上ディジタル放送を受信する受信装置として好適であるが、階層伝送が行われる他の放送システムに適用することが可能である。
【実施例】
【００４３】
次に、より具体的な実施例について図３、図４及び図５を参照して説明する。図３は、本実施例の受信装置の構成を表したブロック図であり、図２（ａ）と同一又は相当する部分を同一符号で示している。図４は、ＯＦＤＭ復調部の機能を説明するための説明図、図５は、本実施例の受信装置の動作を説明するためのフローチャートである。
【００４４】
図３において、本実施例の受信装置１は、階層伝送されてくる地上ディジタル放送を受信する受信装置であり、到来電波を受信する受信アンテナＡＮＴが接続されるフロントエンド部２と、バックエンド部３、履歴情報作成部４、記憶部５及び制御部６を備えて形成されている。
【００４５】
更に、この受信装置１は、現在位置や目的地への移動経路案内を行なうナビゲーション装置７と接続され、ナビゲーション装置７に設けられているＧＰＳ装置やジャイロ等の自律航法装置によって現在位置を検出する測位部７ａから出力される現在位置データＰＳを入力すると共に、地図情報が記憶されているメモリ等の記憶媒体を有する情報源７ｂから、必要な地図情報（以下「地図データ」と称する）ＭＰを入力するようになっている。
【００４６】
フロントエンド部２は、受信チューナ２ａと、ＯＦＤＭ復調部２ｂ及びデマルチプレクサ部（以下「ＤＥＭＡＸ部」と称する）２ｃを有して形成され、バックエンド部３は、固定受信向け放送番組の復調信号Ｅ１をデコードしてその映像信号と音声信号（以下「固定受信向け映像音声信号」と総称する）Ｄ１を出力する第１デコーダ部３ａと、移動受信向け放送番組の復調信号Ｅ２をデコードしてその映像信号と音声信号（以下「移動受信向け映像音声信号」と総称する）Ｄ２を出力する第２デコーダ部３ｂと、制御部６からの切替制御信号ＳＷの指示に従って固定受信向け映像音声信号Ｄ１と移動受信向け映像音声信号Ｄ２のいずれか一方を出力信号Ｄoutとして出力する切替部３ｃとを備えて形成されている。
【００４７】
受信チューナ２ｃは、視聴者の選局操作によって指示される放送チャンネル（物理チャンネル）に同調することで、受信アンテナＡＮＴからのＲＦ受信信号を中間周波信号（ＩＦ信号）に周波数変換し、更にその中間周波信号をＩＦ帯域フィルタに通すことで、ノイズ等の不要成分を除去した希望成分のＩＦ信号ＳIFにしてＯＦＤＭ復調部２ｂへ出力する。
【００４８】
ＯＦＤＭ復調部２ｂは、ＩＦ信号ＳIFから、復調信号としてのトランスポートストリームＴＳを生成するまでのＯＦＤＭ復調処理を行う。
【００４９】
すなわち、図４に示す処理系統を参照して、ＯＦＤＭ復調部２ｂの機能を概説すると、まず、チューナー部２ａでチャンネル選択されたＩＦ信号ＳIFをアナログディジタル変換（Ａ／Ｄ変換）して入力し、直交復調を施すことによってＯＦＤＭベースバンド信号を再生し、更にＯＦＤＭベースバンド信号に基づいてＯＦＤＭシンボル同期を行ってＦＦＴサンプリング周波数を再生し、ＯＦＤＭベースバンド信号に含まれる有効シンボルに対してそのＦＦＴサンプリング周波数で高速フーリエ変換（ＦＦＴ）処理を行う。
【００５０】
更に、フレーム抽出部では、そのＦＦＴ出力から、階層毎に変調方式等の伝送パラメータを示す制御情報を有する伝送制御(Transmission and Multiplexing Configuration and Control：ＴＭＣＣ)信号を抽出し、キャリア復調部では、ＴＭＣＣ信号の制御情報に従ってＦＦＴ出力に対してキャリア復調を施し、デインタリーブ部では、そのキャリア復調された複素データ（Ｉ軸データとＱ軸データ）に対して周波数及び時間デインタリーブ処理を施し、デマッピング部では、デインタリーブ処理後の複素データに基づいてデマッピングを行うことでビット情報を抽出する。
【００５１】
更に、階層分割部では、階層伝送がなされている放送を受信中の場合には、ＴＭＣＣ信号に従って上述の複素データを階層毎に分割し、ビットデインタリーブ部では、分割された各階層毎に複素データに対するビットデインタリーブ処理を施し、デパンクチャード部では、分割された各階層毎に、ＴＭＣＣ信号で指定される畳込み符号化率に応じて畳込み符号によるビット補間を行い、ビット補間後の各階層のデータを階層合成部で合成した後、ビタビ復号部でビタビ復号を行うことで、誤り訂正を施したデータ系列を生成し、更に、そのデータ系列を階層分割部で分割して、夫々バイトデインタリーブとエネルギー逆拡散処理を施した後、ＴＳ再生部で１列のトランスポートストリームを再生するのための処理を行い、更に、リードソロモン復号部（ＲＳ復号部）で誤り訂正を行う。
【００５２】
こうして、ＯＦＤＭ復調部２ｂは、ＩＦ信号ＳIFからトランスポートストリームＴＳを生成するまでの処理を行って、ＤＥＭＡＸ部２ｃに供給する。
【００５３】
再び図３において、ＤＥＭＡＸ部２ｃは、ＯＦＤＭ復調部２ｂで生成されたトランスポートストリームＴＳから、番組選択のために送られてくる情報であるＰＳＩ（Program Specification Information）セクションデータを抽出して解析し、その解析情報に従ってトランスポートストリームＴＳに含まれているＰＥＳパケットやＥＳパケットを分離して、第１，第２デコーダ部３ａ，３ｂに転送する。
【００５４】
ここで、ＤＥＭＡＸ部２ｃは、階層伝送されてきた固定受信向け放送番組のＰＥＳパケットやＥＳパケットを第１変調信号Ｅ１として第１デコーダ部３ａに供給し、移動受信向け放送番組のＰＥＳパケットやＥＳパケットを第２変調信号Ｅ２として第２デコーダ部３ｂに供給する。
【００５５】
第１デコーダ部３ａは、第１変調信号Ｅ１に含まれている映像ＰＥＳパケットや映像ＥＳパケットをＭＰＥＧ-２ビデオ符号化方式に基づいてデコードし、また、音声ＰＥＳパケットや音声ＥＳパケットをＭＰＥＧ-２オーディオ符号化方式（Advanced Audio Coding：ＡＡＣ）に基づいてデコードし、それらデコードした映像信号と音声信号とを上述の固定受信向け映像音声信号Ｄ１として出力する。
【００５６】
第２デコーダ部３ｂも、第２デコーダ部３ｂと同様に、第２変調信号Ｅ２に含まれている映像ＰＥＳパケットや映像ＥＳパケットをＭＰＥＧ-２ビデオ符号化方式に基づいてデコードし、また、音声ＰＥＳパケットや音声ＥＳパケットをＭＰＥＧ-２オーディオ符号化方式に基づいてデコードし、それらデコードした映像信号と音声信号とを上述の移動受信向け映像音声信号Ｄ２として出力する。
【００５７】
切替部３ｃは、アナログスイッチ回路等で形成されており、制御部６からの切替制御信号ＳＷの指示に従って固定受信向け映像音声信号Ｄ１と移動受信向け映像音声信号Ｄ２のいずれか一方を出力信号Ｄoutとして出力する。
【００５８】
履歴情報作成部４は、ＯＦＤＭ復調部２ｂがトランスポートストリームＴＳを生成する過程で検出するビットエラーレート（ＢＥＲ）を受信状態を示す検出信号ＤＴとして入力すると共に、ナビゲーション装置７内の測位部７ａから出力される現在位置データＰＳを入力する。
【００５９】
そして、履歴情報作成部４は、現在位置データＰＳと同じ位置に相当する位置データＸＰＳを有する履歴データＤＨが後述の記憶部５に記憶されているか否か調べ、未だ記憶されていない場合には、現在位置データＰＳを位置データＸＰＳとし、検出信号ＤＴを受信状態検出データＸＤＴとして両者のデータＸＰＳとＸＤＴとを対応付けた新規の履歴データＤＨを作成して、記憶部５に追加記憶させる。
【００６０】
一方、現在位置データＰＳと同じ位置に相当する位置データＸＰＳを有する履歴データＤＨが記憶部５に既に記憶されていた場合には、その履歴データＤＨに含まれている受信状態検出データＸＤＴと検出信号ＤＴとを加算平均演算、すなわち次式（１）で表される加算平均演算を行い、演算結果である新たな受信状態検出データＸＤＴrenewで旧い受信状態検出データＸＤＴを置換し、位置データＸＰＳは変更しない履歴データＤＨを作成する。そして、その履歴データＤＨで旧い履歴データＤＨを更新して、記憶部５に更新記憶させる。
【００６１】
【数１】
2007089083.tif 000003
【００６２】
このように、履歴情報作成部４は、受信装置１が初めの位置に来る度に、新たな履歴データＤＨを作成して記憶部５に追加記憶させると共に、通過したことのある位置に来る度に、記憶部５に既に記憶されている履歴データＤＨを更新して記憶させることで、図２（ｃ）に示したようなルックアップテーブル形式のいわゆるデータベースを構築し、更に、そのデータベースの情報量を増やし且つ情報の精度を次第に向上させる。
【００６３】
なお、本実施例の履歴情報作成部４では、記憶部５に追加記憶させるための新たな履歴データＤＨを作成する場合と更新のための履歴データＤＨを作成する場合において、検出信号ＤＴをそのまま利用して各履歴データＤＨを作成しているが、記憶部５の記憶容量を考慮して、よりビット数の少ない履歴データＤＨを作成することが望ましい。例えば、検出信号ＤＴと所定の判定基準値とを比較することで受信状態の良否を判定し、受信状態が良好と判定した場合には、検出信号ＤＴを擬似的に論理“１”、受信状態が良好でないと判定した場合には、検出信号ＤＴを擬似的に論理“０”にして、それら論理“１”又は論理“０”とした擬似的な検出信号ＤＴに基づいて、記憶部５に追加記憶させるための新たな履歴データＤＨと、更新のための履歴データＤＨを作成するようにしてもよい。
【００６４】
記憶部６は、ナビゲーション装置７内の測位部７ａから現在位置データＰＳを入力すると共に、その現在位置データＰＳで示される位置を含む地図データＭＰを入力し、現在位置データＰＳに基づいて、地図データＭＰ上における受信装置１の実際の現在位置を判定する。
【００６５】
更に、現在位置データＰＳの変化傾向を解析することで、受信装置１の実際の現在位置を基準とする受信装置１の移動方向Ｆと移動速度Ｖを演算し、更に移動速度Ｖに所定の時間係数αを乗算することで、実施形態で説明した距離Ｒを演算すると共に、移動方向Ｆにおける所定角度θの範囲と距離Ｒとで画成される領域内を移動予測領域ＡＲとする。そして、その移動予測領域ＡＲ内の何れかの位置であって受信装置１の実際の現在位置から最も近い位置（移動予測位置）に相当する位置データＸＰＳを有する履歴データＤＨを記憶部５から検索して読み出す。
【００６６】
例えば、図２（ｂ）に示す履歴データＤＨ(2)に含まれている位置データＸＰＳ(2)が移動予測領域ＡＲ内の「移動予測位置」を示していれば、制御部６は、履歴データＤＨ(2)を記憶部５から検索して読み出す。
【００６７】
そして、制御部６が上述の検索を行って「移動予測位置」を示す位置データＸＰＳを有する履歴データＤＨを読み出すと、その履歴データＤＨ内の位置データＸＰＳに対応付けられている受信状態検出データＸＤＴを所定の判断基準と照らして良好な受信状態を示しているものか否か判定し、良好な受信状態を示しているものと判定すると、切替制御信号ＳＷによって切替部３ｃを制御することにより、固定受信向け映像音声信号Ｄ１を出力信号Ｄoutとして出力させる。
【００６８】
すなわち、切替部３ｃが固定受信向け映像音声信号Ｄ１を出力信号Ｄoutとして出力している場合には、制御部６は受信状態検出データＸＤＴが良好な受信状態を示しているものとの判定結果に基づいて、切替部３ｃに対して固定受信向け映像音声信号Ｄ１を出力信号Ｄoutとしてそのまま継続して出力させる。これにより、より高画質及び高音質の映像と音声を継続してモニタやスピーカ等で再生させる。
【００６９】
それとは逆に、切替部３ｃが移動受信向け映像音声信号Ｄ２を出力信号Ｄoutとして出力している場合には、制御部６は受信状態検出データＸＤＴが良好な受信状態を示しているものとの判定結果に基づいて、切替部３ｃに対して切替え動作を行わせ、固定受信向け映像音声信号Ｄ１を出力信号Ｄoutとして出力させる。これにより、より高画質及び高音質の映像と音声に切替えてモニタやスピーカ等で再生させる。
【００７０】
更にまた、制御部６が上述の検索を行った結果、検索領域ＡＲ内の「移動予測位置」を示す位置データＸＰＳを有する履歴データＤＨが既に記憶部５内に記憶されていたが、その履歴データＤＨ内の位置データＸＰＳに対応付けられている受信状態検出データＸＤＴが良好な受信状態を示しているものではない判定すると、切替制御信号ＳＷによって切替部３ｃを制御することにより、移動受信向け映像音声信号Ｄ２を出力信号Ｄoutとして出力させる。
【００７１】
すなわち、切替部３ｃが固定受信向け映像音声信号Ｄ１を出力信号Ｄoutとして出力している場合に、制御部６が検索した履歴データＤＨに含まれている受信状態検出データＸＤＴが良好な受信状態を示しているものではないと判定すると、切替部３ｃに対して切替え動作を行わせ、移動受信向け映像音声信号Ｄ２を出力信号Ｄoutとして出力させる。これにより、固定受信向け映像音声信号Ｄ１を継続してモニタやスピーカ等で再生させた場合に、画質と音質が悪化してしまう事態をいち早く回避し、解像度が低下するものの劣化耐性に優れている移動受信向け映像音声信号Ｄ２に切り替えてモニタやスピーカ等で再生させることで、画質と音質が悪化することを未然に防止する。
【００７２】
それとは逆に、切替部３ｃが移動受信向け映像音声信号Ｄ１を出力信号Ｄoutとして出力している場合に、制御部６が検索した履歴データＤＨに含まれている受信状態検出データが良好な受信状態を示しているものではないと判定すると、切替部３ｃに対して切替え動作を行わせることなく、移動定受信向け映像音声信号Ｄ２を出力信号Ｄoutとして継続して出力させる。これにより、受信状態の良くない受信エリア（放送電波を受け難いエリア等）内を移動中であっても、劣化耐性に優れている移動受信向け映像音声信号Ｄ２を継続してモニタやスピーカ等で再生させることで、画質と音質が悪化することを未然に防止する。
【００７３】
また、制御部６は、上述の記憶部５を検索した結果、「移動予測位置」に相当する位置データＸＰＳを有する履歴データＤＨが記憶されておらず検索不能となった場合には、切替部３ｃに対して切替制御部ＳＷによる切替え制御を行わず、出力信号Ｄoutをそのまま継続して出力させる。すなわち、切替部３ｃが固定受信向け映像音声信号Ｄ１を出力信号Ｄoutとして出力している場合に、制御部６が上述の検索不能と判断すると、その固定受信向け映像音声信号Ｄ１を出力信号Ｄoutとして継続して出力させる。また、切替部３ｃが移動受信向け映像音声信号Ｄ２を出力信号Ｄoutとして出力している場合に、制御部６が上述の検索不能と判断すると、その移動受信向け映像音声信号Ｄ２を出力信号Ｄoutとして継続して出力させる。
【００７４】
次に、図５のフローチャートを参照して、本実施例の受信装置１の動作を説明する。なお、図５中に示されているステップＳ１００〜Ｓ１０４は履歴情報作成部４の動作、ステップＳ２００〜Ｓ２０５は制御部６の動作を示している。
【００７５】
電源投入等によって受信装置１が受信可能状態となると、フロントエンド部２とバックエンド部３が上述した所定の受信動作を開始する。
【００７６】
そして、履歴情報作成部４が、ステップＳ１００において現在位置データＰＳを入力すると共に、ステップＳ１０１においてビットエラーレート（ＢＥＲ）を示す検出信号ＤＴを入力し、更にステップＳ１０２において、現在位置データＰＳに相当する位置データＸＰＳを有する履歴データＤＨが記憶部５に記憶されているか調べる。そして、その履歴データＤＨが記憶部５に未だ記憶されていないと判定すると、ステップＳ１０３に移行し、その履歴データＤＨが記憶部５に既に記憶されていると判定すると、ステップＳ１０４に移行する。
【００７７】
ステップＳ１０３では、上述のステップＳ１００とＳ１０１において入力した現在位置データＰＳを通過したことのある位置データＸＰＳ、検出信号ＤＴを受信状態検出データＸＤＴとして、両者のデータＸＰＳとＸＤＴとを対応付けた新たな履歴データＤＨを作成して記憶部５に追加記憶させ、ステップＳ１０４では、上述のステップＳ１０２で判定した履歴データＤＨに含まれている受信状態検出データＸＤＴと、ステップＳ１０１で入力した検出信号ＤＴとを加算平均演算することで新たな受信状態検出データＸＤＴrenewを生成し、その受信状態検出データＸＤＴrenewで旧い受信状態検出データＸＤＴを置換し、位置データＸＰＳを変更させないことで更新用の履歴データＤＨを作成し、その更新用の履歴データＤＨで旧い履歴データＤＨを更新させて、記憶部５に更新記憶させる。
【００７８】
次に、制御部６がステップＳ２００において、上述のステップＳ１００において履歴情報作成部４が入力したのと同じ現在位置データＰＳを入力すると共に、現在位置データＰＳで示される現在位置を含む地域を示す地図データＭＰを入力し、その地図データＭＰ上において現在位置データＰＳを基準とする進行方向Ｆの移動予測領域ＡＲを設定する。
【００７９】
次に、ステップＳ２０１において、現在位置データＰＳに基づいて、「移動予測位置」に相当する位置データＸＰＳを有する履歴データＤＨが記憶部５内に記憶されているか否か調べ、記憶されていないとステップ２０２へ移行して切替部３ｃに切り替え動作を行わせることなく、ステップＳ１００に戻って処理を繰り返す。
【００８０】
一方、ステップＳ２０１において、記憶されていないとステップ２０３へ移行し、「移動予測位置」に相当する位置データＸＰＳを有する履歴データＤＨを記憶部５から読み出し、更に読み出した履歴データＤＨ内に位置データＸＰＳに対応付けられている受信状態検出データＸＤＴを所定の判断基準に基づいて比較することで、「移動予測位置」における受信状態の良否を判定する。
【００８１】
そして、受信状態が良好であると判定すると、ステップＳ２０４に移行して、切替制御信号ＳＷを切替部３ｃに供給し、固定受信向け映像音声信号Ｄ１を出力信号Ｄoutとして出力中のときには、そのまま継続して固定受信向け映像音声信号Ｄ１を出力させ、一方、移動受信向け映像音声信号Ｄ２を出力信号Ｄoutとして出力中のときには、固定受信向け映像音声信号Ｄ１を出力信号Ｄoutとして切替えて出力させた後、ステップＳ１００に戻って処理を繰り返す。
【００８２】
また、ステップ２０３において受信状態が良好ではないと判定すると、ステップＳ２０５に移行して、切替制御信号ＳＷを切替部３ｃに供給し、固定受信向け映像音声信号Ｄ１を出力信号Ｄoutとして出力中のときには、移動受信向け映像音声信号Ｄ２を出力信号Ｄoutとして切替えて出力させ、一方、移動受信向け映像音声信号Ｄ２を出力信号Ｄoutとして出力中のときには、そのまま継続して移動受信向け映像音声信号Ｄ２を出力させた後、ステップＳ１００に戻って処理を繰り返す。
【００８３】
以上説明したように、本実施例の受信装置１によれば、履歴情報作成部４が、現在位置データＰＳと検出信号ＤＴに基づいて受信装置１の実際の現在位置を示す位置データＸＰＳとその現在位置における受信状態検出データＸＤＴとを対応付けた履歴データＤＨを作成して記憶部５に記憶させていき、制御部６が、受信装置１の実際の現在位置を基準とする移動予測領域ＡＲ内の「移動予測位置」を記憶部５に既に記憶されている履歴データＤＨ内の位置データＸＰＳに基づいて判定し、更に判定した「移動予測位置」に相当する位置データＸＰＳに対応付けられている受信状態検出データＸＤＴに基づいて「移動予測位置」における受信状態の良否を判定し、その受信状態の判定結果に基づいて、切替部３ｃから出力される出力信号Ｄoutを固定受信向け映像音声信号Ｄ１とするか、または、移動受信向け映像音声信号Ｄ２とするか切り替えさせるので、受信装置１が「移動予測位置」へ移動する手前の現在位置で予め、より良好な画質や音質が得られる固定受信向け映像音声信号Ｄ１又は移動受信向け映像音声信号Ｄ２を、出力信号Ｄoutとして出力させることができる。
【００８４】
特に、バックエンド部３が固定受信向け映像音声信号（高品位の映像と音声信号）Ｄ１を出力信号Ｄoutとして出力している際に、制御部６が、受信装置１のこれから移動すると予測される「移動予測位置」における受信状態が良好でないと判定すると、「移動予測位置」に移動する前の現在位置に位置するときに前もって、切替部３ｃに対して、受信状態が良好でなくとも劣化耐性に優れている移動固定受信向け映像音声信号Ｄ２を出力信号Ｄoutとして切替えて出力させるので、再生映像に例えばブロックノズ等が混入して見苦しい状態となってから劣化耐性に優れている移動固定受信向け映像音声信号Ｄ２に切り替えると言った遅れた対応をすることなく、再生映像の画質や音質の悪化を未然に防止することができる。
【００８５】
また、履歴情報作成部４が、初めて来た位置を示す位置データＸＰＳと受信状態検出データＸＤＴを対応付けて新規の履歴データＤＨを作成して記憶部５に追加記憶させていくので、履歴データＤＨの情報量を次第に増やしていくことができ、制御部６が受信装置１の「移動予測位置」における受信状態の良否を判定する際の判定精度を次第に向上させることができる。
【００８６】
また、履歴情報作成部４が、通過したことのある位置に来た場合に、その通過したことのある位置に相当する位置データＸＰＳに対応付けられている受信状態検出データＸＤＴと検出信号ＤＴとを加算演算処理することで、過去の履歴情報を含んだ受信状態検出データＸＤＴに更新して記憶部５に記憶させるので、受信状態検出データＸＤＴの精度をより向上させることができ、ひいては、制御部６が受信装置１の「移動予測位置」における受信状態の良否を判定する際の判定精度を次第に向上させることができる。
【００８７】
なお、本実施例の制御部６の変形例として、上述の記憶部５を検索した結果、「移動予測位置」に相当する位置データＸＰＳを有する履歴データＤＨが記憶されておらず検索不能となった場合に、「移動予測位置」における受信状態が良好か否かを制御部６が知ることができない場合であることから、切替部３ｃに対して劣化耐性に優れている移動受信向け映像音声信号Ｄ２を出力信号Ｄoutとして優先的に出力させるようにしてもよい。また、「移動予測位置」に相当する位置データＸＰＳを有する履歴データＤＨが記憶されておらず検索不能となった場合に移動受信向け映像音声信号Ｄ２を優先させるか否かを、視聴者がマニュアル操作によって制御部６に対して指示するようにしてもよい。
【００８８】
また、図５中のステップＳ２００において、制御部６が、ステップＳ１００において履歴情報作成部４が入力したのと同じ現在位置データＰＳを入力するとしているが、ステップＳ１００において履歴情報作成部４が入力したのと同じ現在位置データＰＳを入力するのではなく、別の時点で測位部７ａから出力される現在位置データＰＳを入力するようにしてもよい。すなわち、履歴情報判定部４が行うステップＳ１００からＳ１０４までの繰り返し処理と、制御部５が行うステップＳ２００からＳ２０５までの繰り返し処理とを、同じルーチン内で直列に行うことなく、別々に独立した並列処理としても良い。
【００８９】
また、本実施例の受信装置１は、自動車等に搭載されるナビゲーション装置７内の測位部７ａと情報源７ｂから現在位置データＰＳと地図データＭＰの供給を受ける構成となっているが、測位部７ａと情報源７ｂに相当する測位部と情報源を受信装置１に内蔵する構成にして、その内蔵した測位部と情報源から出力される現在位置データＰＳと地図データＭＰを履歴情報作成部４と制御部６に夫々供給するようにしても良い。
【００９０】
また、本実施形態の受信装置１は、特に、階層伝送が行われる地上ディジタル放送を受信する受信装置として好適であるが、階層伝送が行われる他の放送システムに適用することが可能である。
【図面の簡単な説明】
【００９１】
【図１】地上ディジタル放送における階層伝送方式を説明するための図である。
【図２】好適な実施形態に係る受信装置の構成を表したブロック図と、記憶部に記憶される履歴データの形態を示す図、及び本実施形態の受信装置の機能を説明するための図である。
【図３】実施例に係る受信装置の構成を表したブロック図である。
【図４】図３に示した受信装置に設けられているＯＦＤＭ復調の機能を説明するための図である。
【図５】図３に示した受信装置の動作を説明するためのフローチャートである。
【符号の説明】
【００９２】
１…受信装置
２…フロントエンド部
３…バックエンド部
４…履歴情報作成部
５…記憶部
６…制御部
７ａ…測位部
【図１】
2007089083.tif 000004
【図２】
2007089083.tif 000005
【図３】
2007089083.tif 000006
【図４】
2007089083.tif 000007
【図５】
2007089083.tif 000008